(57)【要約】【課題】温熱治療用に好適であって、携帯性に優れる治療用袋体を提供する。【解決手段】治療用袋体は、水を注入するための注水部１１と、注水部１１から注入された水を分散して保持する複数の部屋１０１と、を備える。隣り合う部屋１０１間には開口部１０２が形成され、開口部１０２の開閉を行う弁１０３が更に備えられるのが好ましい。【選択図】図６
2014233345.tif 000002
【特許請求の範囲】
【請求項１】
水を注入するための注水部と、
前記注水部から注入された水を分散して保持する複数の部屋と、
を備えることを特徴とする治療用袋体。
【請求項２】
隣り合う前記部屋間には開口部が形成され、
前記開口部の開閉を行う弁を更に備えることを特徴とする請求項１に記載の治療用袋体。
【請求項３】
前記弁は、当該袋体の向きに応じて前記開口部の開閉を行うことを特徴とする請求項２に記載の治療用袋体。
【請求項４】
前記注水部から注入された水を排出するための排水部を更に備えることを特徴とする請求項１から３のいずれかに記載の治療用袋体。
【発明の詳細な説明】
【技術分野】
【０００１】
本発明は、温熱治療を行うのに好適な治療用袋体に関する。
【背景技術】
【０００２】
従来、温熱治療のために湿熱式や乾熱式のホットパックが使用されている。ホットパックは、例えば、蓄熱材が収納された袋体で構成される（例えば特許文献１等参照）。蓄熱材が収納されるホットパックは、例えばお湯等を利用して蓄熱材を温めた後に、温められた蓄熱材から熱が伝わるように患部に当てて使用される。なお、ホットパックと患部との間には、適宜、タオル等の部材が配置されることがある。
【先行技術文献】
【特許文献】
【０００３】
【特許文献１】特開平９−２２４９７０号公報
【発明の概要】
【発明が解決しようとする課題】
【０００４】
ところで、蓄熱材が収納されるホットパックは比較的重たく、蓄熱材が中に収納されているために小さく折り畳みに難い。このために、例えば訪問リハビリテーション等の際に、ホットパックの持ち運び作業が負担に感じられることがある。また、お湯に浸けて蓄熱材を温めるタイプのホットパックは、患部に当てられる前に水滴をふき取ったり、タオルを巻いたりする必要があり、必ずしも、その使い勝手が良いとは言えない。
【０００５】
以上の点に鑑みて、本発明の目的は、温熱治療用に好適であって、携帯性に優れる治療用袋体を提供することである。
【課題を解決するための手段】
【０００６】
上記目的を達成するために本発明の治療用袋体は、水を注入するための注水部と、前記注水部から注入された水を分散して保持する複数の部屋と、を備える構成（第１の構成）になっている。
【０００７】
本構成の治療用袋体によれば、例えば注水部からお湯を注入することによって、乾熱式のホットパックとして利用できる。この構成では、お湯に浸けて蓄熱材を温めるタイプのホットパックにおいて必要となる水滴を拭く作業について省略することが可能である。また、各部屋にお湯を分散した状態で使用できるために、温める箇所が不適切に偏ってしまう事態を避けられる。更に、例えば訪問リハビリテーションに使用される場合に、訪問先でお湯を沸かして、その場で当該袋体にお湯を入れることができる。このために、本構成の治療用袋体は、持ち運び時の重さを非常に軽くできる。また、治療用袋体は、中に何も入っていない場合には小さくして持ち運ぶことも可能であるために携帯性に優れる。
【０００８】
上記第１の構成の治療用袋体においては、隣り合う前記部屋間には開口部が形成され、前記開口部の開閉を行う弁を更に備える構成（第２の構成）であるのが好ましい。本構成によれば、１箇所からの注水によって、各部屋を水で満たすことが可能であるとともに、内部に入れた水が分散された状態を維持可能である。
【０００９】
上記第２の構成の治療用袋体において、前記弁は、当該袋体の向きに応じて前記開口部の開閉を行う構成（第３の構成）であってよい。本構成によれば、当該袋体を低コストで製造可能である。
【００１０】
上記第１から第３のいずれかの構成の治療用袋体において、前記注水部から注入された水を排出するための排水部を更に備える構成（第４の構成）としてもよい。本構成によれば、当該袋体に溜めた水を簡単に抜くことが可能になる。
【発明の効果】
【００１１】
本発明によれば、温熱治療用に好適であって、携帯性に優れる治療用袋体を提供することができる。
【図面の簡単な説明】
【００１２】
【図１】本発明の実施形態に係る治療用袋体の外観構成を示す概略斜視図
【図２】本発明の実施形態に係る治療用袋体の外観構成を示す概略正面図
【図３】本発明の実施形態に係る治療用袋体の外観構成を示す概略側面図
【図４】図２のＡ−Ａ位置における概略断面図
【図５】図２のＢ−Ｂ位置における概略断面図
【図６】図３のＣ−Ｃ位置における概略断面図
【図７】本発明の実施形態に係る治療用袋体の使用例及び作用を説明するための図
【図８】本発明の実施形態に係る治療用袋体の使用例及び作用を説明するための図で、図７と上下が反対とされた図
【発明を実施するための形態】
【００１３】
以下、本発明の実施形態に係る治療用袋体について、図面を参照しながら詳細に説明する。なお、本発明の実施形態に係る治療用袋体は、乾熱式の温熱治療に使用される、いわゆるホットパックとして好適な器具（道具）である。
【００１４】
図１は、本発明の実施形態に係る治療用袋体１の外観構成を示す概略斜視図である。図１に示すように、本実施形態に係る治療用袋体１は、大きくは、袋部１０と、注水部１１と、排水部１２と、を備える構成になっている。
【００１５】
袋部１０は、内部に水を入れられるように設けられた袋部分であり、合成樹脂によって形成されている。袋部１０を形成する合成樹脂の種類は特に限定されるものではないが、お湯を入れられるように耐熱性を有するものが好ましい。また、袋部１０は、当該治療用袋体１を持ち運ぶ際に小さく纏められるように、折り曲げ易い材質（軟質の素材）で形成されるのが好ましい。
【００１６】
注水部１１は、袋部１０内に水を注入するために設けられ、本実施形態においては、円筒状の合成樹脂で形成されている。注水部１１を形成する合成樹脂の種類は特に限定されるものではなく、袋部１０と同種類の樹脂とされてもよいし、別種類の樹脂とされてもよい。注水部１０は、水を注入し易い用に、例えば先端側が広口となっていてもよい。なお、注水部１１は、例えば栓やコック等の止水部材（不図示）によって水の流れを止められるように設けられている。
【００１７】
排水部１２は、袋部１０内の水を排水するために設けられ、本実施形態においては、円筒状の合成樹脂で形成されている。排水部１２を形成する合成樹脂の種類は特に限定されるものではなく、袋部１０及び／又は注水部１１と同種類の樹脂とされてもよいし、別種類の樹脂とされてもよい。なお、排水部１２は、注水部１１と同様に、例えば栓やコック等の止水部材（不図示）によって水の流れを止められるように設けられている。また、注水部１１が排水部として兼用される場合には、排水部１２が設けられない構成が採用されてもよい。
【００１８】
図２は、本発明の実施形態に係る治療用袋体１の外観構成を示す概略正面図である。図２に示すように、袋部１０は、正面視略長方形状に設けられている。袋部１０の外周は、注水部１１及び排水部１２が設けられる部分を除いて閉じられている（例えば溶着されている）。注水部１１及び排水部１２は、その取り付け箇所から水漏れを起こさないように袋部１０に取り付けられている。
【００１９】
なお、注水部１１は袋部１０の長手方向の一端部側（図２では上端部側）に、排水部１２は袋部１０の長手方向の他端部側（図２では下端部側）に取り付けられている。また、注水部１１は袋部１０の短手方向の一端部側（図２では右端部側）に、排水部１２は袋部１０の短手方向の他端部側（図２では左端部側）に設けられている。注水部１１及び排水部１２の短手方向の位置は適宜変更されて構わない。
【００２０】
袋部１０には、その短手方向に延びる仕切り部１０ａが複数（本実施形態では７個）設けられている。複数の仕切り部１０ａは、袋部１０の長手方向に略等間隔に設けられている。各仕切り部１０ａは、袋部１０の表側と裏側とを溶着することによって得られている。複数の仕切り部１０ａが設けられているために、袋部１０には、複数（本実施形態では８個）の部屋１０１が形成されている。
【００２１】
図１及び図２に加えて、図３から図６も参照して、複数の部屋１０１の構造について詳細に説明する。なお、図３は、本発明の実施形態に係る治療用袋体１の外観構成を示す概略側面図である。図４は、図２のＡ−Ａ位置における概略断面図である。図５は、図２のＢ−Ｂ位置における概略断面図である。図６は、図３のＣ−Ｃ位置における概略断面図である。
【００２２】
各仕切り部１０ａは、袋部１０の短手方向の一端から他端手前まで設けられている。すなわち、各仕切り部１０ａは短手方向の全域を溶着している訳ではなく、他端部側の一定区間については溶着していない。なお、前述の一端と他端とは、隣り合う仕切り部１０ａ間で比較すると、互いに反対になっている。各仕切り部１０ａが、袋部１０の短手方向の端から端まで完全に延びていないために、隣り合う部屋１０１間には開口部１０２が形成されている(図４及び図６参照)。この開口部１０２は、袋部１０の短手方向の端部に存在し、より詳細には、袋部１０の長手方向にジグザグ状に複数（本実施形態では７個）存在している（図６参照）。
【００２３】
袋部１０内には、袋部１０の長手方向にジグザグ状に存在する開口部１０２の開閉を行う弁１０３が複数（本実施形態では、開口部１０２の数に合わせて７個）設けられている（図４、図５、図６参照）。各弁１０３は、袋部１０の短手方向の一端から延出しており、開口部１０２を閉じた状態において、その先端側が仕切り部１０ａと重なり合うように設けられている（図５、図６参照）。また、いずれの弁１０３も、開口部１０２を閉じた状態において、仕切り部１０ａの同じ側の面（図６では下面）と接するように設けられている。
【００２４】
なお、本実施形態では、弁１０３は平坦な形状とされているが、これに限らず、曲面部を有する形状等としても構わない。また、本実施形態では、弁１０３は合成樹脂によって形成している。弁１０３を形成する合成樹脂の種類は、袋部１０を形成する樹脂と同じとしてもよいし、別の樹脂としてもよい。
【００２５】
次に、図７及び図８を参照しながら、本実施形態の治療用袋体１の使用例及び作用について説明する。なお、図７は、本発明の実施形態に係る治療用袋体１の使用例及び作用を説明するための図（概略断面図）である。図８は、本発明の実施形態に係る治療用袋体１の使用例及び作用を説明するための図（概略断面図）で、図７と上下が反対とされた図である。
【００２６】
図７に示すように、治療用袋体１を注水部１１が上、排水部１２が下となるように配置する。そして、排水部１２を、図示しない栓等の止水部材を用いて水漏れが生じない状態にする。この状態で、温熱治療に適した温度に沸かされたお湯を注水部１１から注ぎ入れる。この際、じょうご等の道具が適宜使用されても構わない。
【００２７】
注水部１１からお湯が注ぎ入れられると、お湯が注水部１１から見て一番手前の部屋１０１（図７において一番上の部屋１０１）に注ぎ込まれる。このお湯の重さによって弁１０３は開き、前記一番手前の部屋１０１とそれに隣り合う部屋１０１（図７において上から二番目の部屋１０１）とが連通する。これによって、お湯が、前記隣り合う部屋１０１に注ぎ込まれる。同様にして、各部屋１０１に順次お湯が注ぎ込まれる。
【００２８】
各部屋１０１がお湯で満杯となった時点で、注水部１１からの注水を終了する。そして、注水部１１を、図示しない栓等の止水部材を用いて水漏れが生じない状態して、図８に示すように、治療用袋体１の上下を反対にする。これによって、各弁１０３は閉じた状態になる。このために、お湯が各部屋１０１に分散した状態を保てる。なお、弁１０３と、仕切り部１０ａ及び／又は袋部１０の側面と、の間の隙間を通じて各部屋１０１間で多少の湯の移動が生じる可能性がある。しかし、お湯が各部屋１０１に分散した状態を保てる限り、多少の湯の移動は特に問題とならない。
【００２９】
この状態で、治療用袋体１を患者の患部に、直接、或いは、タオル等を介在させて間接的に当てることによって温熱治療を施せる。治療用袋体１内のお湯は分散されているので、熱が与えられる場所が偏ることを避けられ、適切な温熱治療が期待できる。なお、治療用袋体１を患部に当てた状態を維持しやすいように、治療用袋体１にはベルト等の固定具が適宜設けられてよい。温熱治療が終了すると、排水部１２の止水状態が解除されて、排水部１２が下とされた状態で袋部１０内の湯が排水される。
【００３０】
本実施形態の治療用袋体１によれば、治療用袋体１に直接お湯を入れれば良い。このために、お湯に浸けて蓄熱材を温めるタイプのホットパックにおいて必要となる水滴を拭く作業について、本実施形態の治療用袋体１では省略することが可能である。また、例えば訪問リハビリテーションに治療用袋体１を使用する場合に、訪問先でお湯を沸かして当該袋体１に入れることができる。このために、治療用袋体１は、持ち運び時の重さを非常に軽くできる。更に、治療用袋体１は、軟質の素材で構成されているために、中に何も入っていない状態で小さくすることが可能であり、この点からも持ち運びに便利である。
【００３１】
なお、以上に示した実施形態は、本発明の例示にすぎない。以上に示した実施形態の構成は、本発明の技術的思想を超えない範囲で適宜変更されて構わない。
【００３２】
例えば、以上に示した実施形態では、隣り合う部屋１０１間に設けられる開口部１０２は１箇所とされたが、複数箇所であっても構わない。また、開口部１０２が設けられる位置についても適宜変更して構わない。本実施形態のように、開口部１０２の位置をジグザグ状に配置すると、弁１３を設ける位置に偏りが生じない。
【００３３】
また、以上に示した実施形態では、隣り合う部屋１０１間に開口部１０２が形成される構成とした。場合によっては、この開口部１０２は設けられない構成としても構わない。この場合には、各部屋１０１に対して、注水部及び排水部（兼用の構成であってもよい）を設ければよい。
【００３４】
また、以上に示した実施形態における、治療用袋体１の形状は例示にすぎない。例えば、治療用袋体１が使用される患部の位置等に応じて、治療用袋体１の形状は適宜変更されて構わない。
【００３５】
また、以上においては、治療用袋体１が温熱治療用として（ホットパックとして）使用される場合を示したが、治療用袋体１は、例えば冷水を入れて（場合によっては冷凍して）、患部を冷却するために使用される等しても構わない。
【符号の説明】
【００３６】
１  治療用袋体
１１  注水部
１２  排水部
１０１  部屋
１０２  開口部
１０３  弁
【図１】
2014233345.tif 000003
【図２】
2014233345.tif 000004
【図３】
2014233345.tif 000005
【図４】
2014233345.tif 000006
【図５】
2014233345.tif 000007
【図６】
2014233345.tif 000008
【図７】
2014233345.tif 000009
【図８】
2014233345.tif 000010